(57)【要約】【課題】シート状の被搬送体またはシート状の被搬送体を包装した包装体を収納部に容易に装填することができ、被搬送体の外部への搬送を円滑に行うことができる搬送装置を提供する。【解決手段】この搬送装置は、フィルムパッケージＰを第１壁面３ａと第２壁面３ｂとの間に装填する装填位置とフィルムを搬送する搬送位置とを移動可能に設けられフィルムを収納する収納部３と、フィルムを搬送位置で外部に搬送するように収納部の第１壁面側に一体的に設けられた搬送部５と、を備え、装填時にフィルムパッケージＰが第２壁面から第１壁面に向けて案内されるように案内構造２５を第２壁面に設けた。【選択図】　図２
2004123342.tif 000002
【特許請求の範囲】
【請求項１】
シート状の被搬送体を第１壁面と第２壁面との間に装填する装填位置と前記被搬送体を搬送する搬送位置とを移動可能に設けられ前記被搬送体を収納する収納部と、
前記被搬送体を前記搬送位置で外部に搬送するように前記収納部の第１壁面側に一体的に設けられた搬送部と、を備え、
前記装填時に前記被搬送体が前記第２壁面から前記第１壁面に向けて案内されるように案内構造を前記第２壁面に設けたことを特徴とするシート状被搬送体の搬送装置。
【請求項２】
前記収納部の上面を覆うとともに少なくとも前記装填位置において前記収納部にアクセス可能なように開放できる開閉可能なカバー手段を備えることを特徴とする請求項１に記載のシート状被搬送体の搬送装置。
【請求項３】
多数枚のシート状の被搬送体を位置決め手段に集積して遮光手段内に光密に包装した包装体を第１壁面と第２壁面との間に装填する装填位置と前記被搬送体を搬送する搬送位置とを移動可能に設けられ前記被搬送体を収納する収納部と、
前記搬送位置で最上位の前記被搬送体と係合し前記被搬送体を外部に搬送するように前記収納部の第１壁面側に一体的に設けられた搬送部と、
前記収納部の上面を覆うように設けられた開閉可能なカバー手段と、を備え、前記装填位置で前記カバー手段が開放され前記包装体を装填するとき前記包装体が前記第２壁面から前記第１壁面に向けて案内されるように案内構造を前記第２壁面に設けたことを特徴とするシート状被搬送体の搬送装置。
【請求項４】
前記装填された包装体から前記遮光手段を前記搬送位置で除去することで前記被搬送体が搬送可能になることを特徴とする請求項３に記載のシート状被搬送体の搬送装置。
【請求項５】
前記案内構造のために前記第２壁面の少なくとも上部側が傾斜していることを特徴とする請求項１乃至４のいずれか１項に記載のシート状被搬送体の搬送装置。
【請求項６】
前記案内構造のために前記第２壁面の少なくとも上部側が湾曲していることを特徴とする請求項１乃至４のいずれか１項に記載のシート状被搬送体の搬送装置。
【請求項７】
前記案内構造のために前記第２壁面の内側に傾斜リブを設けたことを特徴とする請求項１乃至４のいずれか１項に記載のシート状被搬送体の搬送装置。
【請求項８】
前記搬送部が前記第１壁面の上部から前記第２壁面側に突き出るようにして設けられたことを特徴とする請求項１乃至７のいずれか１項に記載のシート状被搬送体の搬送装置。
【請求項９】
前記収納部が前記第２壁面の下部側に前記第１壁面との間で前記被搬送体を位置決めるための位置決め部を有することを特徴とする請求項１乃至８のいずれか１項に記載のシート状被搬送体の搬送装置。
【請求項１０】
前記搬送位置で前記被搬送体の少なくとも前記第１壁面側の先端部分を前記搬送が可能である位置に押し上げるリフトアップ手段を更に備え、
前記リフトアップ手段は前記装填位置で最下方位置にあり前記押し上げの動作を行わないことを特徴とする請求項１乃至９のいずれか１項に記載のシート状被搬送体の搬送装置。
【請求項１１】
前記搬送部は前記被搬送体を搬送するためにローラフィード式の搬送機能を有することを特徴とする請求項１乃至１０のいずれか１項に記載のシート状被搬送体の搬送装置。
【発明の詳細な説明】
【０００１】
【発明の属する技術分野】
本発明は、シート状の被搬送体または多数枚のシート状の被搬送体の包装体を装填する装填位置と被搬送体を搬送する搬送位置とを移動可能な収納部を有するシート状被搬送体の搬送装置に関する。
【０００２】
【従来の技術】
感光フィルムの搬送装置では、従来、収納トレイに収納したフィルムを吸着する吸盤の吸着力及び上下動により収納トレイから１枚ずつフィルムを分離し取り出し、次にニップローラに挟み込んで次工程へと搬送していた。しかし、この吸盤方式は機構的に複雑となり部品点数が多くなるため、近年、複写機等で広く用いられているローラを使用したローラフィード方式が採用されてきている。
【０００３】
一方、収納トレイに収納される感光フィルムとしては、多数枚のフィルムを積層して光密にバリア袋に包装したパッケージを収納トレイに装填し外側のバリア袋を除去してフィルムを搬送可能に露出させるようにした、いわゆるデーライトパックが用いられることが多い。この場合、収納トレイへのパッケージの装填が正確に行われないと、バリア袋の除去やフィルムの分離、搬送が円滑に行われないおそれが生じる。また、例えば、熱現像感光材料である熱現像フィルムに適用されるデーライトパックは、半切りサイズ１２５枚入りで、その重量が数ｋｇにも達するので、これを片手で持って装填作業を行うことは困難なことも多い。
【特許文献１】
特開２００２−１５４６７５号公報
【０００４】
【発明が解決しようとする課題】
本発明の目的は、シート状の被搬送体またはシート状の被搬送体を包装した包装体を収納部に容易に装填することができ、被搬送体の外部への搬送を円滑に行うことができるようにしたシート状被搬送体の搬送装置を提供することである。
【０００５】
【課題を解決するための手段】
上記目的を達成するために、本発明によるシート状被搬送体の搬送装置は、シート状の被搬送体を第１壁面と第２壁面との間に装填する装填位置と前記被搬送体を搬送する搬送位置とを移動可能に設けられ前記被搬送体を収納する収納部と、前記被搬送体を前記搬送位置で外部に搬送するように前記収納部の第１壁面側に一体的に設けられた搬送部と、を備え、前記装填時に前記被搬送体が前記第２壁面から前記第１壁面に向けて案内されるように案内構造を前記第２壁面に設けたことを特徴とする。
【０００６】
このシート状被搬送体の搬送装置によれば、シート状の被搬送体を収納部に装填するとき、第２壁面に設けた案内構造により被搬送体を第２壁面から第１壁面に向けて導くようにして案内できるので、被搬送体を収納部に容易に装填できる。また、このように装填された被搬送体は第１壁面と第２壁面との間に位置するので、被搬送体を収納部で正確に位置決めでき、被搬送体の外部への搬送を円滑に行うことができる。
【０００７】
この場合、前記収納部の上面を覆うとともに少なくとも前記装填位置において前記収納部にアクセス可能なように開放できる開閉可能なカバー手段を備えることが好ましい。これにより、収納部に対する遮光性が向上し塵埃の進入を防止できるとともに、装填時等における収納部に対するアクセスも容易となる。
【０００８】
本発明による別のシート状被搬送体の搬送装置は、多数枚のシート状の被搬送体を位置決め手段に集積して遮光手段内に光密に包装した包装体を第１壁面と第２壁面との間に装填する装填位置と前記被搬送体を搬送する搬送位置とを移動可能に設けられ前記被搬送体を収納する収納部と、前記搬送位置で最上位の前記被搬送体と係合し前記被搬送体を外部に搬送するように前記収納部の第１壁面側に一体的に設けられた搬送部と、前記収納部の上面を覆うように設けられた開閉可能なカバー手段と、を備え、前記装填位置で前記カバー手段が開放され前記包装体を装填するとき前記包装体が前記第２壁面から前記第１壁面に向けて案内されるように案内構造を前記第２壁面に設けたことを特徴とする。
【０００９】
このシート状被搬送体の搬送装置によれば、多数枚のシート状の被搬送体を包装した包装体を収納部に装填するとき、第２壁面に設けた案内構造により包装体を第２壁面から第１壁面に向けて導くようにして案内できるので、包装体を収納部に容易に装填できる。また、このように装填された包装体は第１壁面と第２壁面との間に位置するので、包装体を収納部で正確に位置決めでき、多数枚の被搬送体の収納部での位置も正確になり、被搬送体の外部への搬送を円滑に行うことができる。
【００１０】
この場合、前記装填された包装体から前記遮光手段を前記搬送位置で除去することで前記被搬送体が搬送可能になるように構成できるが、かかる遮光手段の除去は、上述のように包装体が収納部で正確に位置決めされるので、確実に行うことができる。
【００１１】
上記各搬送装置では、前記案内構造のために前記第２壁面の少なくとも上部側が傾斜していることが好ましい。また、前記案内構造のために前記第２壁面の少なくとも上部側が湾曲していることが好ましい。また、前記案内構造のために前記第２壁面の内側に傾斜リブを設けるようにしてもよい。
【００１２】
上述のように構成した案内構造によれば、シート状の被搬送体または包装体の先端部を第１壁面に向けて装填したとき、その後端部を傾斜面または湾曲面に沿って第２壁面側から滑り込ませるようにして案内するので、収納部に容易に装填することができ、また、このようにして被搬送体または包装体の後端部が第２壁面側に確実に位置するので、包装体等を第１壁面と第２壁面との間に正確に位置決めできる。
【００１３】
また、前記搬送部を前記第１壁面の上部から前記第２壁面側に突き出るようにして設けることができる。この場合、シート状の被搬送体または包装体の先端部を突き出た搬送部の下方に差し込むようにして第１壁面に向けて装填するが、このときも、案内構造により包装体等を収納部に容易に装填できる。
【００１４】
また、前記収納部が前記第２壁面の下部側に前記第１壁面との間で前記被搬送体を位置決めるための位置決め部を有することが好ましい。
【００１５】
また、前記搬送位置で前記被搬送体の少なくとも前記第１壁面側の先端部分を前記搬送が可能である位置に押し上げるリフトアップ手段を更に備え、前記リフトアップ手段は前記装填位置で最下方位置にあり前記押し上げの動作を行わないように構成することが好ましい。これにより、被搬送体が搬送されても、常に最上位の被搬送体が押し上げられ搬送可能となる。また、装填位置にあるときには、リフトアップ手段は動作せずに最下方位置にあるので、装填の妨げにならない。なお、リフトアップ手段は、被搬送体の搬送開始位置である先端部分側を押し上げる構成でよいが、被搬送体の全体を押し上げる構成でもよい。
【００１６】
また、前記搬送部は前記被搬送体を搬送するためにローラフィード式の搬送機能を有することが好ましい。これにより、収納部を搬送部とともに装填位置に引き出しまた搬送位置に押し込むように移動可能に構成するとき、搬送部を収納部へ一体的に簡単に設けることができる。
【００１７】
【発明の実施の形態】
以下、本発明による実施の形態について図面を用いて説明する。以下の説明では、シート状被搬送体の一例として熱現像フィルムＦを採り上げ、熱現像フィルムＦに潜像を形成し、加熱部材に接触させ加熱することで熱現像し可視画像を得る熱現像装置に適用可能なフィルムの搬送装置について説明する。
【００１８】
図１は本実施の形態に係るシート状被搬送体の搬送装置を示す斜視図であり、図２は図１の搬送装置の収納カセットの側断面図であり、図３は図１の収納カセットに装填可能なフィルムパッケージを部分的に破断して示す斜視図である。
【００１９】
図１、図２に示すように、本実施の形態に係る搬送装置１は、熱現像フィルム（以下、単に「フィルム」という。）をフィルムパッケージの状態で装填しフィルムを収納できる収納トレイ部３と、収納トレイ部３に一体的に設けられフィルムを１枚ずつ装置外部へと搬送するためのローラフィード式の搬送部５と、を備える。
【００２０】
収納トレイ部３に装填可能なフィルムパッケージＰは、図３に示すように、例えば半切りサイズのフィルムＦを１２５枚程度の多数枚の束として位置決め手段である位置決め部材Ｄ上に集積し位置決めした状態で遮光手段であるバリア袋Ｂ内に光密に収容している。バリア袋Ｂの側端部にはバリア袋除去装置における係合爪２６（図６）と係合する複数の係合孔ａが形成されている。
【００２１】
収納トレイ部３は、全体が装置本体に対し押し込み及び引き出しが可能に構成されており、図１の方向Ｈに装置本体へ押し込まれたときに外部からの光が遮断され搬送位置でフィルム搬送が可能になり、また、方向Ｈ’に装置本体から引き出されたときに装填位置でフィルムパッケージＰの装填が可能となる。このように、収納トレイ部３は、装置内の搬送位置と装置外の装填位置との間で移動できる構造になっている。
【００２２】
なお、装置本体は、収納トレイ部３が図１の方向Ｈに押し込まれて搬送位置で装置外部の露光部を含む画像形成部への搬送経路に接続するように収納トレイ部３を収容する構成となっている。また、収納トレイ部３を装置本体から引き出した状態でフィルムパッケージＰの装填が可能となるので、装置の装填性が良好である。
【００２３】
図１のように、収納トレイ部３は、上面が開放された扁平角箱状のトレイ状に構成され、内部にはフィルムパッケージＰを装填できかつフィルムＦの収納スペースとなる収納凹部７を有する。
【００２４】
収納トレイ部３の収納凹部７にはフィルムパッケージＰが図１の方向Ｔから装填可能になっているが、搬送部５側の第１壁面３ａと第１壁面３ａと対向する第２壁面３ｂとの間でフィルムパッケージＰを収納凹部７に装填方向Ｔに装填できるようになっている。
【００２５】
図１のように、第１壁面３ａの上部には略台形状の搬送部５が庇状に第２壁面側に突き出して収納凹部７の一部を覆うように収納トレイ部３に一体的に設けられている。また、収納凹部７の奥側の壁面部分にはバリア袋除去装置のガイドローラ対１１が互いに従動回転可能に設けられている。
【００２６】
また、図１，図２のように、収納凹部７の底面の一部には底面から凹むように段差凹部１３が設けられており、この段差凹部１３は、収納凹部７に積層され収納されたフィルムＦを搬送部５に導くリフトアップ手段１５を収容する収容スペースとなっている。
【００２７】
リフトアップ手段１５は、段差凹部１３内に回動軸１７を回動中心として所定の角度回動する矩形平板状の押上げ板１９と、この押上げ板１９をその先端部１７ａが段差凹部１３内に戻るように下方に付勢するばね等からなる付勢手段２１と、押上げ板１９の先端部１７ａを回動軸２３ａを中心にして図２の回動方向ｓに付勢手段２１の下方への付勢力に抗して回動するように駆動される押上げレバー２３と、を備える。
【００２８】
リフトアップ手段１５は、収納凹部７の底面にフィルムパッケージＰまたは多数枚のフィルムＦが収納されたときには、押上げ板１９が底面と同じ高レベルにあり、フィルムＦが搬送されると、先端部１７ａが押上げレバー２３により回動方向ｓに回動し最上位のフィルムＦの先端部分を押し上げてフィルムＦを搬送部５で搬送可能にする。また、収納トレイ部３が装填位置に引き出されると、押上げレバー２３の回動方向ｓ’への回動により、付勢手段２１の付勢力により押上げ板１９の先端１７ａを下方に回動させて押上げ板１９を収納凹部７の底面から突出しない最下方位置に戻し、その位置で押し上げ動作を行わないようになっており、フィルムパッケージＰの装填の妨げにならない。
【００２９】
図１，図２に示すように、搬送部５が配置された第１壁面３ａ側と収納凹部７を挟んで対向する反対側の第２壁面３ｂには、フィルムパッケージＰを装填時に案内するための案内構造として案内傾斜面２５が形成されている。
【００３０】
即ち、図２のように、収納凹部７の右端側の第２壁面３ｂは、収納凹部７の底面から所定高さで直立した位置規制面２７と、位置規制面２７から上部外方（フィルムパッケージＰの装填方向Ｔと反対方向）に向けて傾斜するように形成された案内傾斜面２５と、を有する。案内傾斜面２５はフィルムパッケージＰを収納トレイ部３内に装填するとき、その後端部分Ｐ１を滑り込ませるようにして収納凹部７へと導くことができる。
【００３１】
フィルムパッケージＰが収納凹部７に装填されると、第１壁面３ａと第２壁面３ａの位置規制面２７との間で位置決めされる。そして、フィルムパッケージＰのバリア袋Ｂの除去後は多数枚の積層されたフィルムＦが同様に位置決めされて収納できる。
【００３２】
また、図２のように、収納トレイ部３の上面にはカバー手段としての矩形平板状の遮光板９が収納トレイ部３に対してスライドするように開閉自在に設けられている。遮光板９は収納凹部７を閉じることで遮光でき、また収納トレイ部３が図１のように装置外に引き出されたときフィルムパッケージＰの装填等のためスライドして開放しアクセスできるようになっている。
【００３３】
次に、搬送部５に設けられるローラフィード式の搬送装置について図４を参照して説明する。図４は搬送部５の搬送装置を示す側面図である。
【００３４】
図４の搬送装置は、収納凹部７に積層状態で載置されたフィルムＦの表面ＢＣに所定の押付力Ｐ１１で当接した搬送ローラ９１が回転方向ｒに回転することで最上位のフィルムＦをニップローラ対９２，９３側に送り出し、両ローラ９２，９３間にフィルムＦを挟持した状態で従動ローラ９３側から駆動ローラ９２側にニップ力Ｐ１２を加えながら駆動ローラ９２が搬送ローラ９１と同期して回転方向ｒ’に回転することで搬送方向Ｈに搬送する。
【００３５】
また、上述のようなフィルム搬送時に最上位のフィルムＦとともにその下の１、２枚のフィルムも搬送ローラ９１により送り出されてニップローラ対９２，９３で搬送されることがあるので、駆動ローラ９２をトルクリミッタ付きの逆転可能なローラから構成している。ニップローラ対９２，９３間に複数枚のフィルムＦが挟まれることで駆動ローラ９２のトルクが上昇すると、トルクリミッタが検知し、駆動ローラ９２及びこれと同期して搬送ローラ９１が逆回転し、余分に搬送されたフィルムＦを元に戻すようになっている。
【００３６】
以上のように、搬送部５に設ける搬送装置をローラフィード式に構成することで、搬送部５の構成が従来の吸盤による吸着方式よりも簡単になり、搬送部５を収納トレイ部３へ簡単に一体的に設けることができ、収納トレイ部３を搬送部５と一体に移動させることができる。
【００３７】
また、上述のように、リフトアップ手段１５により収納凹部７上のフィルムＦを押し上げることで図４の搬送ローラ９１に最上位のフィルムＦを確実に当接させ係合できるので、フィルムＦの安定な搬送が可能となり、また、フィルム搬送が行われて積層されたフィルムの枚数が減っても最上位のフィルムＦと搬送ローラ９１との相対位置は変わらないので、安定な搬送を維持できる。
【００３８】
次に、図１の収納トレイ部３の奥側に設けられるバリア袋除去装置について図５を参照して説明する。図５はバリア袋除去装置を示す側面図である。
【００３９】
図５に示すように、バリア袋除去装置は、図３のフィルムパッケージＰを図１のように収納トレイ部３に装填し、ガイドローラ対１１の一方が図５の２点鎖線のように上方に移動した状態でフィルムパッケージＰの側端の複数の係合孔ａを係合爪２６に係合させてから、ガイドローラ対１１でフィルムパッケージＰの側端面を挟み、係合爪２６を周囲に設けた駆動ローラ３０が回転方向ｃに回転駆動されてバリア袋Ｂを駆動ローラ３０の周囲に巻き取ることでバリア袋Ｂを除去し、位置決め部材Ｄに位置決めされた積層状態のフィルムＦを収納凹部７内に露出させる。なお、このバリア袋Ｂの除去前にバリア袋Ｂの他方の側端面ｂを巻き取り易いようにカットしておく。
【００４０】
次に、収納トレイ部３にフィルムＦが収納されるまでの作業工程及びフィルムＦが外部装置に搬送される工程について説明する。
【００４１】
まず、図１のように、装置本体に収容され搬送位置にある収納トレイ部３を手前の方向Ｈ’に引き出すことで装填位置に移動させ、遮光板９を奥部側の方向Ｈにスライドさせ収納凹部７の上面を開放する。
【００４２】
次に、フィルムパッケージＰを図１のように手前に側端面ｂ、奥部側に係合孔ａが位置するようにして手で持って、図１，図２のように、フィルムパッケージＰの先端Ｐ１を装填方向Ｔに案内傾斜面２５側から搬送部５側の第１側面３ａに向けて収納凹部７の底面を滑らせるようにして収納凹部７内に進入させる。
【００４３】
そして、先端Ｐ１が庇状に張り出した搬送部５の下方位置に達したあたりで手を離すと、図２の仮想線で示すようにフィルムパッケージＰの後端Ｐ２が自重により案内傾斜面２５に当たりながら案内傾斜面２５を滑り落ちるようにして収納凹部７の底面に達する。このようにして、フィルムパッケージＰは、比較的重量がある場合でも収納トレイ部３に容易に装填でき、更に先端Ｐ１が第１壁面３ａで及び後端Ｐ２が位置規制面２７でそれぞれ位置決められる。
【００４４】
上述のようにフィルムパッケージＰを収納トレイ部３に装填した後、フィルムパッケージＰの係合孔ａをバリア袋除去装置の係合爪２６に係合させ、遮光板９を手前に方向Ｈ’にスライドさせ、収納凹部７の上面を閉塞し遮光状態とするとともにフィルムパッケージＰの手前側の側端面ｂをカットしてから、収納トレイ部３を装置本体に向けて方向Ｈに押し込んで搬送位置に移動させる。
【００４５】
次に、収納トレイ部３が搬送位置まで移動してから、図５のバリア袋除去装置の駆動ローラ３０が回転方向ｃに回転しバリア袋Ｂをその周囲に巻き取って除去することで、積層された多数枚の内の最上位のフィルムＦが装置本体内の収納トレイ部３で露出状態となる。
【００４６】
次に、リフトアップ手段１５の押上げ板１９が、押上げレバー２３の回動方向Ｓへの回動によって付勢手段２１の付勢力に抗して上方に回動し、その先端部分１７ａがフィルムＦを上方に押し上げ、最上位のフィルムＦを図４の搬送装置の搬送ローラ９１に当接させる。フィルムＦは搬送ローラ９１と押上げレバー２３との間で挟持された状態となって、フィルム搬送が可能となる。そして、搬送ローラ９１及びニップローラ対９２，９３を駆動し、最上位のフィルムＦをその下のフィルムから分離して搬送方向Ｊに搬送する。これにより、露光部を含む画像形成部への搬送経路に向けてに向けて１枚ずつフィルムＦを給送することができる。
【００４７】
以上のように、フィルムパッケージＰを収納トレイ部３に装填するとき、先端Ｐ１を第１壁面３ａに近づけるとともに後端Ｐ２を案内傾斜面２５に当てて沿わせながら第２壁面３ｂ側から滑り込ませるようにして収納凹部７の底面へと導くことができるので、フィルムパッケージＰを収納トレイ部３に容易に装填できる。この場合、バリヤ袋Ｂはポリエチレン等の比較的滑り易い材質からなるので、案内傾斜面２５における上述の滑り込みが容易になる。
【００４８】
また、上述のようにしてフィルムパッケージＰが装填されると後端Ｐ２が位置規制面２７に確実に位置するので、フィルムパッケージＰを第１壁面３ａと第２壁面３ｂの位置規制面２７との間に正確に位置決めできる。従って、上述のバリア袋Ｂの除去工程も確実に実行され、除去後の収納トレイ部３における積層されたフィルムＦの位置も正確になり、フィルムＦの外部への搬送を円滑に行うことができる。
【００４９】
また、搬送部５が収納凹部７を覆うように突き出て設けられても、フィルムパッケージＰの先端Ｐ１を搬送部５の下方に差し込み、後端Ｐ２を案内傾斜面２５で案内しながら収納トレイ部３にフィルムパッケージＰを容易に装填できる。
【００５０】
以上のように本発明を実施の形態により説明したが、本発明はこれに限定されるものではなく、本発明の技術的思想の範囲内で各種の変形が可能である。例えば、上記搬送装置では、積層したフィルムをバリア袋Ｂに収容した状態で収納トレイ部３に装填する場合を説明したが、本発明はこれに限定されず、遮光手段として暗箱等に収容した状態で装填する場合にも適用でき、また、バリア袋等の遮光手段を特に用いずに多数枚積層されたフィルムを束にして装填する場合にも適用できる。
【００５１】
また、案内構造は、図１，図２の構造に限定されず、他の構造であってもよく、例えば、図６（ａ）のように、収納凹部７の底面近傍から第２壁面３ｂが傾斜するようにして案内傾斜面２５を設けてもよい。
【００５２】
また、図６（ｂ）のように、第２壁面３ｂの上部を湾曲させて曲面形状とした案内曲面３５を設けてもよい。この場合、第２壁面３ｂの下部を位置規制面２７に構成できる。この案内曲面３５によりフィルムパッケージＰの装填が更に円滑となる。更に、図６（ｃ）のように、第２壁面３ａの内側の収納凹部７に、傾斜面２９ａ及びその下方の位置規制面２９ｂを有する複数の案内リブ２９を設けてもよい。
【００５３】
また、本発明の搬送装置で搬送可能なシート状被搬送体は、熱現像フィルムに限らず、湿式現像フィルムや別の感光フィルム、記録媒体である紙やＯＨＰ、または樹脂系のその他のシート状フィルム、更には各種印刷等の加工が施された用紙等であってよいことは勿論であり、本発明の搬送装置は、熱現像装置に限らずに、上記シート状被搬送体が供給される複写機、プリンタ等の各種の画像記録装置や画像形成装置に適用可能である。
【００５４】
【発明の効果】
本発明のシート状被搬送体の搬送装置によれば、シート状の被搬送体またはシート状の被搬送体を包装した包装体を収納部に容易に装填することができ、被搬送体の外部への搬送を円滑に行うことができる。
【図面の簡単な説明】
【図１】本発明の実施の形態に係るシート状被搬送体の搬送装置の収納トレイ部を装填位置に引き出した状態で示す斜視図である。
【図２】図１の収納トレイ部及び搬送部を示す側断面図である。
【図３】図１の収納トレイ部に装填可能なフィルムパッケージを部分的に破断して示す斜視図である。
【図４】図１の搬送部に設けることのできる搬送装置を示す側面図である。
【図５】図１の収納トレイ部に近接して設けることのできるバリア袋除去装置の要部を示す側断面図である。
【図６】図１の収納トレイ部の第２壁面に設けることのできる案内構造の変形例（ａ）、（ｂ）、（ｃ）を示す側断面図である。
【符号の説明】
１・・・搬送装置
３・・・収納トレイ部（収納部）
３ａ・・・第１壁面
３ｂ・・・第２壁面
５・・・搬送部
７・・・収納凹部
９・・・遮光板
１３・・・段差凹部
１５・・・リフトアップ手段
２５・・・案内傾斜面（案内構造）
２７・・・位置規制面
３５・・・案内曲面（案内構造）
９１・・・搬送ローラ
９２・・・駆動ローラ
９３・・・従動ローラ
Ｆ・・・フィルム（シート状被搬送体）
Ｐ・・・フィルムパッケージ
【図１】
2004123342.tif 000003
【図２】
2004123342.tif 000004
【図３】
2004123342.tif 000005
【図４】
2004123342.tif 000006
【図５】
2004123342.tif 000007
【図６】
2004123342.tif 000008